(57)【要約】【課題】  本発明は、簡単なポンピング動作のみで、液状の化粧品をキャン容器から供給してもらって使用することができ、鏡と開閉自在のキャップを備えたコンパクト形態の構造物を用いて使用上の便宜性を極大化した構造を有する化粧品容器を提供する。【解決手段】  本発明の第一実施例による化粧品容器は、液状の化粧品を貯蔵し、ポンピング動作によって液状の化粧品を供給してもらう化粧品容器であって、内側にパフを収納するためのパフ台が備えられ、ヒンジで連結されて開閉されるカバーと、前記カバーの内側に備えられた鏡を有するコンパクト形態の上体；前記上体の下部に結合され、前記上体のポンピング動作を導くように外側面を通じて昇降溝が備えられる中体；及び前記中体の下部に結合され、内部に液状の化粧品が充填保管される下体を含む。【選択図】  図１
2018504958.tif 000002
【特許請求の範囲】
【請求項１】
液状の化粧品を貯蔵し、ポンピング動作によって液状の化粧品を供給してもらう化粧品容器であって、
内側にパフを収納するためのパフ台が備えられ、ヒンジで連結されて開閉されるカバーと、前記カバーの内側に備えられた鏡を有するコンパクト形態の上体；
前記上体の下部に結合され、前記上体のポンピング動作を導くように外面に通じて昇降溝が備えられる中体；及び
前記中体の下部に結合され、内部に液状の化粧品が充填保管される下体を含むことを特徴とする、
化粧品容器。
【請求項２】
前記下体は、スタム部を通じて液状の化粧品を外部に吐出し、前記スタム部は前記パフ台まで連通された吐出口と吐出管を介して連結され、前記上体のポンピング動作の際に、前記下体に保管された液状の化粧品が前記パフ台側に供給される、
請求項１に記載の化粧品容器。
【請求項３】
前記中体の外側面には、前記上体のポンピング動作を拘束するか、拘束解除するように前記上体の内側面に形成された掛り突起が挿入されて流動する¬字形状のロックガイド溝が備えられる、
請求項２に記載の化粧品容器。
【請求項４】
前記パフ台に収納されるパフを取り囲む形態でリム部が上向き突出される、
請求項３に記載の化粧品容器。
【請求項５】
前記中体の上部面には、前記上体との連結を導く連結ガイド溝が間隔をおいて複数備えられ
前記複数の連結ガイド溝は、前記上体と前記中体との結合時に前記上体の下部面に形成された複数の嵌め突起と隣り合って結合される、
請求項４に記載の化粧品容器。
【請求項６】
前記リム部は、
前記パフの外部離脱を防止するか、又は前記パフ台内部に収容された液状の化粧品が外部に流出されることを防止する、
請求項４に記載の化粧品容器。
【請求項７】
前記パフ台の外縁部分には、前記リム部と連結される案内部が備えられ、
前記案内部は、
前記リム部と共に弾性を有する材質からなることを特徴とする
請求項４に記載の化粧品容器。
【請求項８】
前記リム部の外側面には、
環状の折曲溝が備えられる、
請求項４に記載の化粧品容器。
【請求項９】
前記吐出口は、前記パフ台の底中心を通じて形成され、
前記パフ台は、
前記吐出口を介して前記下体から供給された液状の化粧品が底を通じて溜まるように下に凹な溝部を有する、
請求項４に記載の化粧品容器。
【請求項１０】
前記下体の上段には、前記スタム部の外側に突出した連結リングが備えられ、
前記連結リングは、前記中体の下段溝に着脱結合される、
請求項４に記載の化粧品容器。
【発明の詳細な説明】
【技術分野】
【０００１】
本発明の実施例は化粧品容器に関するものであって、簡単なポンピング動作のみで液状の化粧品をキャン容器から供給してもらって使用することができ、且つ鏡が備えられたコンパクト形態の上体を通じて使用の便宜性を向上することができる化粧品容器に関する。
【背景技術】
【０００２】
周知の如く、化粧品容器は液状又はペースト状の化粧品やその他の内容物を空気の圧力により一定量ずつ排出させて使用する容器をいう。かかる化粧品容器の代表例として、ディーブチューブ（ｄｅｅｐ
ｔｕｂｅ）により内容物を吸入して排出し、容器内にはその分だけの空気が流入されるディーブチューブタイプ、容器内部が真空になるに応じて、ピストンが上昇し、内容物を押し上げるエアリスタイプ、また、内部に充填されたガスと共に内容物が排出されるタイプとに区分される。
【０００３】
一方、従来の方式による化粧品容器の場合、ほとんどの化粧品容器から供給された化粧品を別途の化粧用道具(例：パフ、化粧コットン等)に絞り出してこれを用いて化粧を実施する場合が多かった。
【０００４】
本発明と関連した先行技術としては、韓国公開特許公報
第１０−２０１２−０１３８６９０号(２０１２.１２．２９.公開日)があり、前記先行文献にはポンピング式化粧品容器に関する技術が開示されている。
【発明の概要】
【発明が解決しようとする課題】
【０００５】
本発明の目的は、簡単なポンピング動作のみで、液状の化粧品をキャン容器から供給してもらって使用することができる化粧品容器を提供することである。
【０００６】
本発明の他の目的は、鏡と開閉自在のキャップを有するコンパクト形態の上体を通じてユーザーが実際に化粧をする際にコンパクト製品のような性能を確保でき、ユーザーの便宜性を極大化することができる化粧品容器を提供することである。
【課題を解決するための手段】
【０００７】
本発明の一実施例による化粧品容器は、液状の化粧品を貯蔵してポンピング動作によって液状の化粧品を供給してもらう化粧品容器であって、内側にパフを収納するためのパフ台が備えられ、ヒンジで連結されて開閉されるカバーと、前記カバーの内側に備えられた鏡を有するコンパクト形態の上体；前記上体の下部に結合され、前記上体のポンピング動作を導くように外側面を通じて昇降溝が備えられる中体；及び前記中体の下部に結合され、内部に液状の化粧品が充填保管される下体を含む。
【０００８】
好ましくは、前記下体は、スタム部を通じて液状の化粧品を外部へ吐出し、前記スタム部は、前記パフ台まで連通された吐出口と吐出管を介して連結され、前記上体のポンピング動作時に、前記下体に保管された液状の化粧品が前記パフ台側に供給され、前記中体の外側面には、前記上体のポンピング動作を拘束するか、拘束解除するように前記上体の内側面に形成された掛り突起が挿入されて流動する¬字形状のロックガイド溝が備えられ、前記パフ台に収納されるパフを取り囲む形態でリム部が上向き突出され得る。
【０００９】
また、前記中体の上部面には、前記上体との連結を導く連結ガイド溝が間隔をおいて複数備えられ、前記複数の連結ガイド溝は、前記上体と前記中体との結合時に前記上体の下部面に形成された複数の嵌め突起と隣り合って結合され得る。
【００１０】
また、前記リム部は、前記パフの外部離脱を防止するか、又は前記パフ台の内部に収容された液状の化粧品が外部へ流出されることを防止することができる。
【００１１】
また、前記パフ台の外縁部分には前記リム部と連結される案内部が備えられ、前記案内部は、前記リム部と共に弾性を有する材質からなり得る。
【００１２】
また、前記リム部の外側面には環状の折曲ホームが備えられる。
【００１３】
また、前記吐出口は、前記パフ台の底中心を通じて形成され、前記パフ台は、前記吐出口を介して前記下体から供給された液状の化粧品が底を通じて溜まるように下に凹な溝部を有することができる。
【００１４】
また、前記下体の上段には、前記スタム部の外側に突出された連結リングが備えられ、前記連結リングは前記中体の下端溝に着脱結合され得る。
【発明の効果】
【００１５】
本発明によると、簡単なポンピング動作のみで液状の化粧品をキャン容器から供給してもらって使用することができる。
【００１６】
また、鏡が備えられ、開閉自在のキャップを有するコンパクト形態の構造を有することにより、ユーザーが実際化粧をする際にコンパクト製品と等しい水準の機能及び性能に使用上の便宜性を向上することができる。
【００１７】
また、コンパクト形態の上体の内部には、パフ台が形成されてパフを内蔵することができる。
【００１８】
また、パフ台は下に凹であって滑らかな曲面を有し、キャン容器から供給された化粧品が前記パフ台を通じて万遍なく塗布され得るので、化粧がよく行われるようにし、同時にパフに万遍なく塗って使用することができるので、化粧品の無駄な使用を低減することができる。
【００１９】
また、パフの離脱はもちろん化粧品の外部離脱を防止することができる。
【００２０】
また、上体と中体との間の結合部位を通じてポンピング動作をロック及び/又はアンロックするロック手段が備えられて不要なポンピング動作を防止することができる長所がある。
【図面の簡単な説明】
【００２１】
【図１】本発明の実施例による化粧品容器を簡略に示した分解斜視図である。
【図２】本発明の実施例による化粧品容器を簡略に示した正面図である。
【図３】本発明の実施例による化粧品容器の断面状態を示す断面図である。
【発明を実施するための形態】
【００２２】
以下、添付の図面を参照して、本発明の実施例による化粧品容器に関して詳しく説明する。
【００２３】
図１及び図２を参照すると、これに示された化粧品容器は上体（３０）、中体（２０）、下体（１００）を含む。
【００２４】
上体（３０）は、コンパクト形態で提供されることができる。ここで、上体とは、「上部体」等に理解することができる。具体例として、前記上体（３０）は内側にパフ（５０）を収納するためのパフ台（３４）が備えられる。また、前記上体（３０）はヒンジで連結されて開閉されるカバー（４０）を有することができる。また、前記カバー（４０）の内側には鏡（６０）が備えられる。前記鏡（６０）を用いてまるでコンパクトのような性能を確保してユーザーは化粧する際に自らの顔に対する化粧状態を実時間に確認しながら化粧を実施することができる。
【００２５】
中体（２０）は、前記上体（３０）の下部に結合され、前記上体（３０）のポンピング動作を導くように外側面を通じて昇降溝（２２、図２参照）が備えられるが、図３に示すように、前記昇降溝（２２）を通じて前記上体（３０）の下部は前記中体（２０）の上部から上下に移動、即ち、昇降可能であり、必ずしもこれに限定されない。ここで、中体とは「中間体」等に理解することができる。
【００２６】
下体（１００）は、前記中体（２０）の下部に結合され、内部に液状の化粧品が充填保管されるキャン形態の容器を意味する。ここで、下体とは「下部体」等に理解することができる。図１を参照すると、下体（１００）は、液状の化粧品が充填保管された円筒状のキャンであり得るが、その上部の中央には、噴射ノズル等が含まれたスタム部（２００）が垂直上方に突出され、前記スタム部（２００）の外側に連結リング（３００）が備えられる。かかる下体（１００）のスタム部（２００）を介してキャン容器内に充填された液状の化粧品がガス噴射方式で外部に向けて吐出され得る。そのために、前記スタム部（２００）は、前記パフ台（３４）まで連通された吐出口（３２）と吐出管（３１、図３参照）を介して連結され得る。
【００２７】
このような構造によって、前記上体（３０）のポンピング動作時に、前記下体（１００）に保管された液状の化粧品は前記パフ台（３４）側に供給されてユーザーはパフ（５０）と鏡（６０）を用いて液状の化粧品を化粧に用いることができる。
【００２８】
一方、前記中体（２０）の外側面には、前記上体（３０）のポンピング動作を拘束するか、拘束解除するように前記上体（３０）の内側面に形成された掛り突起（３３、図３参照）が挿入されて流動する経路を導く¬字形状のロックガイド溝（２４）がさらに備えられる。例えば、上体（３０）を時計回りに所定角度回転させると、上体（３０）のポンピング動作が行われない可能性もある。但し、このときの回転方向及び角度に本発明は限定されない。
【００２９】
また、前記中体（２０）の上部面には、前記上体（３０）との連結を導く連結ガイド溝（２５）が複数間隔をおいて備えられる。具体的には、前記複数の連結ガイド溝（２５）は、前記上体（３０）と前記中体（２０）の結合の際に、前記上体（３０）の下部面に形成された複数の嵌め突起（未図示）と隣り合って結合され、上体（３０）と中体（２０）が定められた位置で結合されるようにする。図１を参照すると、９０度の中心各を隔てて４つが備えられているが、これに限定されない。
【００３０】
また、前記パフ台（３４）には、前記パフ台（３４）を通じて収納されるパフ（５０）を取り囲むリム部（３５）が備えられる。前記リム部（３５）は、前記パフ（５０）の外部離脱を防止するか、又は、前記パフ台の内部に収容された液状の化粧品が外部へ流出されることを防止することができる。
【００３１】
これに加えて、前記パフ台（２３）の外縁部分には、前記リム部（３５）と連結される案内部（３６、図７参照）がさらに備えられる。
【００３２】
このとき、前記案内部（３６、図７参照）は、前記リム部（３５）と共に弾性を有する材質からなることが好ましい。また、前記リム部（３５）の外側面には環状の折曲溝（３５１）がさらに備えられ得て、必ずしもこれに限定されない。
【００３３】
一方、前記吐出口（３２）は、前記パフ台（３４）の底中心を通じて形成され得る。また、前記吐出口（３２）を介して前記下体（１００）から供給された液状の化粧品が底を通じて溜まるように下に凹な溝部（３４１、図３参照）を有することができる。これによって、パフ台（３４）内において高さが最も低い位置に形成される吐出口（３２）を通じて液状の化粧品が供給されて前記パフ台（３４）の底に所定の高さに溜まることができる。
【００３４】
図３〜図７は、本発明の実施例による化粧品容器の断面状態を示す断面図である。図３〜図７を参照して本発明の構成をさらに具体的に検討する。
【００３５】
中体（２０）は、合成樹脂又は金属等の素材からなり得るが、特定素材に限定されない。前記中体（２０）は、図３に示すように前記連結リング（３００）に掛かって下体（１００）と連結され得る。このために環状の噛合い部(２１)が内側に形成され得る。
【００３６】
一方、前記中体（２０）は、キャン容器形態で提供される下体（１００）の上部に固定され、この上部で上体（３０）が昇降動作、つまり、ポンピング動作可能に結合され得る。
【００３７】
上体（３０）は、前記中体（２０）の昇降溝（２２）に沿って昇降自在に結合されるが、前記中体（２０）の上部面に備えられた複数の連結ガイド溝（２５）で前記上体（３０）の下部面に形成された複数の嵌め突起（未図示）が隣り合って結合されることによって、定められた位置において相互結合され得る。
上体（３０）の下部には、前記スタム部（２００）と嵌められる吐出管（３１）が形成される。また、パフ台（３４）には前記吐出管（３１）と連通する吐出口（３２）が形成され得る。
【００３８】
このとき、前記昇降溝（２２）の上部には掛り段（２２１）が形成され、前記上体（３０）の内側下部には前記掛り段（２２１）が掛かって固定される掛り突起（３３）が形成され得る。前記掛り突起（３３）は、前記昇降溝（２２）より前記中体（２０）の内側に陥没された¬字形状のロックガイド溝に向けて挿入されて上下に流動され得る。
【００３９】
また、前記吐出管（３１）の下側には嵌め溝（３１１）が形成され得る。前記嵌め溝（３１１）は前記スタム部（２００）と連結される構成であって、上体（３０）のポンピング動作の際に生じる加圧により前記スタム部（２００）が下に加圧されながら下体（１００）に保管された液状の化粧品が前記吐出管（３１）と前記吐出口（３２）を介してパフ台（３４）側に吐出されて供給され得る。
【００４０】
ここで、前記下体（１００）は、液状の化粧品と排出ガスが共に充填されて、前記スタム部（２００）の加圧により化粧品と排出ガスとが共に排出され、内部の圧力によってスタム部（２００）は復帰する慣用のキャン容器であり得る。また、前記下体（１００）は排出ガスなしに液状の化粧品のみが充填され、前記スタム部（２００）と連動された慣用のポンピング構成が下体（１００）に内蔵されて構成され得る。このとき、前記スタム部（２００）の加圧により液状の化粧品が外部へ吐出される同時にスタム部（２００）は初期位置に復帰されるように提供され得る。
【００４１】
パフ（５０）は、図示するように、パフ台（３４）を通じて収納されて提供され得るものの、このように別途の製品を使用して自由に用いるように構成されてもよい。
【００４２】
前記パフ台（３４）には、外縁部分に前記パフ（５０）が安定的に収納されるために、環状のリム部（３５）がさらに備えられ得る。また、前記パフ台（３４）には前記吐出口（３２）を介して吐出された液状の化粧品がよく溜まるように下に凹になった曲面の溝部（３４１）がさらに備えられ得る。
【００４３】
前記のように構成される化粧品容器（１０）の作動関係を検討すると、図５に示すように、先ず、ユーザーが上体（３０）を下体（１００）方向（図５の矢印方向）に加圧して上体（３０）のポンプング動作を誘発する。次いで、上体（３０）のポンピング動作により下体（１００）のスタム部（２００）を通じて吐出管（３１）及び吐出口（３２）を介して液状の化粧品がパフ台（３４）の溝部（３４１）側に供給されて所定の高さに収容される。以後、ユーザーはパフ台（３４）に収容された液状の化粧品を、パフ（５０）で塗った後、カバー（４０）に取り付けられた鏡（６０）を見ながら化粧を実施することができる。
【００４４】
一方、図７を参照すると、パフ台（３４）の外縁部分には前記リム部（３５）の内側面と連結されるように曲線の案内部（３６）がさらに形成され得る。
【００４５】
このとき、前記リム部（３５）と前記案内部（３６）は弾性を有する素材（例：合成樹脂材等）から形成され得る。また、前記リム部（３５）の外側面には環状の折曲溝（３５１）がさらに形成されることができる、
【００４６】
このような構造によって、前記案内部（３６）は、パフ台（３４）に収容された液状の化粧品をパフ（５０）で塗る過程においてリム部（３５）の内側下部コーナに液状の化粧品の残余物が残ることを防止することができる。
【００４７】
また、液状の径商品を取り出す過程において前記パフ（５０）により前記リム部（３５）の上部が掛かる場合、前記折曲溝（３５１）が折れるについて、前記リム部（３５）が妨害になることなく、内容物を取り出すことができるようにするが、必ずしもかかる構成に限定されない。
【００４８】
前述の如く、本発明の構成及び作用によると、簡単なポンピング動作のみで液状の化粧品をキャン容器から供給してもらって使用することができる。
【００４９】
また、鏡が備えられ、開閉自在のキャップを有するコンパクト形態の構造を有することによって、ユーザーが実際に化粧する際にコンパクト製品と等しい水準の機能及び性能に使用上の便宜性を向上することができる。
【００５０】
さらに、コンパクト形態の上体の内部にはパフ台が形成されて、パフを内蔵することができる。
【００５１】
さらに、前記パフ台は下に凹であって滑らかな曲面を有し、キャン容器から供給された化粧品が前記パフ台を通じて万遍なく塗布され得るので、化粧がよく行われるようにし、同時にパフに万遍なく塗って使用できるので、化粧品の無駄な使用を低減することができる。
【００５２】
さらに、パフの離脱はもちろん化粧品の外部離脱を防止することができる。
【００５３】
さらに、上体と中体との間の結合部位を介してポンピング動作をロック及び/又はアンロックするロック手段が備えられて不要なポンピング動作を防止することができる。
【００５４】
これまで、本発明の化粧品容器に関して察したが、本発明の範囲からはずれない限度内においては多様な実施変更ができることは明らかである。
【００５５】
また、前述の実施例はいずれの面において例示的なものであり、限定的に理解されてはならず、本発明の範囲は、発明の詳細な説明よりは後述する特許請求の範囲によって示され、該特許請求の範囲の意味及び範囲、並びにその等価概念から導き出される全ての変更及び変更された形態が本発明の範囲に含まれると解釈されなければならない。
【図１】
2018504958.tif 000003
【図２】
2018504958.tif 000004
【図３】
2018504958.tif 000005
【図４】
2018504958.tif 000006
【図５】
2018504958.tif 000007
【図６】
2018504958.tif 000008
【図７】
2018504958.tif 000009
【国際調査報告】
2018504958.tif 000010
2018504958.tif 000011
2018504958.tif 000012
2018504958.tif 000013